(57)【要約】【課題】バランスウエイトの重量が外槽のボルト溶接部に集中するのを防止する。【解決手段】本発明のドラム式洗濯機１は、筐体１０と、洗濯物を収容するドラム２２が回転自在に内装された外槽２０と、筐体１０に対して複数のダンパ２８により接続され、外槽２０を揺動可能に支持する外槽支持台３０と、外槽支持台３０に対して溶接により固定され、外槽２０の外周面に沿って延在する外槽バンド３１，３２と、外槽２０の上部において外槽バンド３１，３２の一端部３１ａ，３２ａと他端部３１ｂ，３２ｂとに接続されるバランスウエイトＤとを備える。【選択図】図２
2020103565.tif 000002
【特許請求の範囲】
【請求項１】
筐体と、
洗濯物を収容するドラムが回転自在に内装された外槽と、
前記筐体に対して複数のダンパにより接続され、前記外槽を揺動可能に支持する外槽支持台と、
前記外槽支持台に対して溶接により固定され、前記外槽の外周面に沿って延在する取付部材と、
前記外槽の上部において前記取付部材の一端部と他端部とに接続されるバランスウエイトとを備えることを特徴とするドラム式洗濯機。
【請求項２】
前記バランスウエイトは、
前記取付部材の一端部に接続された第１バランスウエイトと、
前記取付部材の他端部に接続された第２バランスウエイトと、
前記第１バランスウエイトと前記第２バランスウエイトとを接続する接続部材とを備えることを特徴とする請求項１に記載のドラム式洗濯機。
【請求項３】
前記第１バランスウエイトに形成された第１接続部と前記第２バランスウエイトに形成された第２接続部とが前記接続部材により接続された状態において、前記第１接続部と前記第２接続部との間に隙間が形成されることを特徴とする請求項２に記載のドラム式洗濯機。
【発明の詳細な説明】
【技術分野】
【０００１】
本発明は、例えば、洗い工程、すすぎ工程及び脱水工程を行うドラム式洗濯機に関する。
【背景技術】
【０００２】
ドラム式洗濯機は、筐体内に配設された外槽の内部に、水平軸又は傾斜軸を中心に円筒形状のドラムを回転自在に配置し、ドラム内に洗濯物を収容し、外槽内に水を貯留した状態でドラムを回転させることにより洗濯物の洗濯を行う。
【０００３】
ドラム式洗濯機では、ドラムが高速回転する際の振動が筐体に伝播するのを軽減するために、ドラムを内装した外槽がダンパやばねによって支持されている。
【０００４】
したがって、筐体内部において、外槽は、ダンパやばね等の弾性部材によって揺動自在であるが、特に脱水工程においてドラムが高速で回転駆動される際の大きな振動を抑制するには、外槽自体の重量を増す必要がある。
【０００５】
そこで、ドラム式洗濯機では、外槽の上部に所定重量のバランスウエイトが取り付けられている。そのため、外槽自体の重量が重くなることで、脱水工程で洗濯物のアンバランスにより発生する振動を低減することができる。
【先行技術文献】
【特許文献】
【０００６】
【特許文献１】特開２００７−１６７２６２号公報
【発明の概要】
【発明が解決しようとする課題】
【０００７】
従来のドラム式洗濯機１０１では、図７に示すように、バランスウエイト１５０，１６０が外槽１２０の上部に取り付けられている。外槽１２０は、例えば複数のスプリング・ダンパ１２８によって揺動自在に支持されている。
【０００８】
図８に示すように、外槽１２０に補強板１５１，１６１が溶接されており、その補強板１５１，１６１に、バランスウエイト１５０，１６０を固定するための複数のボルト１５２ａ，１６２ａが溶接されている。補強板１５１，１６１としては、外槽１２０より厚さの大きい板状部材が使用される。
【０００９】
バランスウエイト１５０，１６０に形成された複数の貫通孔１５０ａ，１６０ａに、複数のボルト１５２ａ，１６２ａがそれぞれ挿通された状態で、ナット１５２ｂ，１６２ｂがボルト１５２ａ，１６２ａに対して締め付けられることで、バランスウエイト１５０，１６０が補強板１５１，１６１に対して固定される。
【００１０】
上述したように、バランスウエイト１５０，１６０を固定するためのボルト１５２ａ，１６２ａを、直接、外槽１２０に溶接しないで、外槽１２０に固定された補強板１５１，１６１に溶接しているのは、バランスウエイト１５０，１６０の重量が比較的厚さの薄い外槽１２０のボルト溶接部に集中するのを防止するためである。
【００１１】
しかしながら、ドラム式洗濯機１０１においても、バランスウエイト１５０，１６０の重量が補強板１５１，１６１のボルト溶接部に集中することにより溶接割れの危険性がある。
【００１２】
また、バランスウエイト１５０，１６０の重量が比較的厚さの薄い外槽１２０のボルト溶接部に集中するのを防止するために、外槽１２０より厚さの大きい補強板１５１，１６１を使用していることから、部品点数が増加してしまう。
【００１３】
本発明は、バランスウエイトの重量が外槽のボルト溶接部に集中するのを防止することができるドラム式洗濯機を提供することを目的とする。
【課題を解決するための手段】
【００１４】
すなわち、本発明のドラム式洗濯機は、筐体と、洗濯物を収容するドラムが回転自在に内装された外槽と、前記筐体に対して複数のダンパにより接続され、前記外槽を揺動可能に支持する外槽支持台と、前記外槽支持台に対して溶接により固定され、前記外槽の外周面に沿って延在する取付部材と、前記外槽の上部において前記取付部材の一端部と他端部とが接続されるバランスウエイトとを備えることを特徴とする。
【００１５】
本発明のドラム式洗濯機において、前記バランスウエイトは、前記取付部材の一端部に接続された第１バランスウエイトと、前記取付部材の他端部に接続された第２バランスウエイトと、前記第１バランスウエイトと前記第２バランスウエイトとを接続する接続部材とを備えることを特徴とする。
【００１６】
本発明のドラム式洗濯機において、前記第１バランスウエイトに形成された第１接続部と前記第２バランスウエイトに形成された第２接続部とが前記接続部材により接続された状態において、前記第１接続部と前記第２接続部との間に隙間が形成されることが好適である。
【発明の効果】
【００１７】
本発明のドラム式洗濯機では、バランスウエイトを固定するために溶接ボルトを使用しないことから、溶接割れの危険性がなくなる。また、取付部材により、外槽を外槽支持台に対して固定すると共に、バランスウエイトを外槽の上部に固定することから、部品点数を削減することができる。
【００１８】
本発明のドラム式洗濯機では、取付部材の一端部に接続された第１バランスウエイトと、取付部材の他端部に接続された第２バランスウエイトとを接続部材により接続することで、第１バランスウエイト及び第２バランスウエイトを外槽の上部に容易に固定することができる。
【００１９】
本発明のドラム式洗濯機では、第１バランスウエイトの第１接続部と第２バランスウエイトの第２接続部とを接続部材により接続した状態において、取付部材により外槽の外周面を締め付けることにより、外槽及びバランスウエイトを固定することができる。
【図面の簡単な説明】
【００２０】
【図１】本発明の第１実施形態に係るドラム式洗濯機１の構成を示す側面断面図である。
【図２】図１のドラム式洗濯機１の内部の概略構成を示す斜視図である。
【図３】図２の部分的な構成を示す斜視図である。
【図４】図２の部分的な構成を示す上面図である。
【図５】図１のドラム式洗濯機１の内部の分解斜視図である。
【図６】第１バランスウエイト５０及び第２バランスウエイト６０を外槽２０の上部に固定する方法を示す図である。
【図７】従来のドラム式洗濯機１０１の内部の概略構成を示す斜視図である。
【図８】図７のドラム式洗濯機１０１において、第１バランスウエイト１５０及び第２バランスウエイト１６０を外槽１２０の上部に固定する方法を示す図である。
【発明を実施するための形態】
【００２１】
以下、本発明の実施形態であるドラム式洗濯機１について、図面を参照して説明する。
【００２２】
図１に示すように、ドラム式洗濯機１は、外観を構成する筐体１０を備える。筐体１０の前面１０ａには、洗濯物の投入口１１が形成される。投入口１１は、開閉自在なドア１２により覆われる。
【００２３】
筐体１０内には、外槽２０と、外槽２０内に内装されたドラム２２とが配置される。洗濯物を収容するドラム２２は、外槽２０内に回転自在に配置される。複数のダンパ（スプリングダンパ）２８により弾性的に支持される。外槽２０およびドラム２２は、水平方向に延びる回転軸周りに回転する。
【００２４】
外槽２０の前面の開口部２０ａおよびドラム２２の前面の開口部２２ａは、投入口１１に対向し、投入口１１ともにドア１２により閉鎖される。ドラム２２の周壁には、多数の脱水孔２２ｂが形成される。さらに、ドラム２２の周壁には、３つのバッフル２３が周方向にほぼ等しい間隔で設けられる。
【００２５】
外槽２０の後方には、ドラム２２を駆動するトルクを発生させるモータ２５が配置される。
【００２６】
図２に示すように、筐体１０の内部において、外槽２０は、２つの外槽支持台３０に支持されている。２つの外槽支持台３０は、外槽２０の下方において、略円筒形状の外槽２０の長手方向に沿って略平行に配置される。
【００２７】
２つの外槽支持台３０には、外槽２０を固定するための取付部材である外槽バンド３１、３２が溶接により固定されている。
【００２８】
２つの外槽支持台３０は、それぞれ、複数のダンパ２８により筐体１０の底台１０ｃに接続される。したがって、外槽支持台３０上に支持された外槽２０は、筐体１０内において揺動可能に支持される。
【００２９】
２つの外槽支持台３０は、図３に示すように、それぞれ、底板部３０ａと、底板部３０ａの内側端部から上方に向かって延在する内側板部３０ｂと、底板部３０ａの外側端部から上方に向かって延在する外側板部３０ｃとを有している。
【００３０】
外側板部３０ｃの高さは、内側板部３０ｂの高さより高くなっている。底板部３０ａには、２つの折り曲げ板部３０ｄが形成される。
【００３１】
折り曲げ板部３０ｄは、略矩形状であり、その３辺に対応した部分は底板部３０ａから切断され、残りの１辺に対応した部分に沿って上方に折り曲げられている。折り曲げ板部３０ｄの上端は、それぞれ、２つの外槽バンド３１，３２の下面に沿って配置される。
【００３２】
２つの外槽バンド３１，３２は、２つの外槽支持台３０に溶接により固定されているが、外側板部３０ｃの上端の一部、折り曲げ板部３０ｄの上端、及び、内側板部３０ｂの上端の一部に対して、溶接により固定されている。図３では、外槽支持台３０と外槽バンド３１，３２との溶接部分Ａが点線で図示されている。
【００３３】
２つの外槽バンド３１，３２は、長方形状の金属製の板状部材である。２つの外槽バンド３１，３２は、外槽２０の前端側及び後端側に離れて配置され、その下端部において２つの外槽支持台３０に溶接され、外槽２０の外周面に沿って外槽２０の上部に向かって延在している。なお、２つの外槽バンド３１，３２と外槽２０の外周面との間に、例えばゴムなどの緩衝材が配置されてよい。
【００３４】
図２に示すように、外槽２０の上部には、外槽２０の振動を低減するための所定重量のバランスウエイトＤが取り付けられている。バランスウエイトＤは、第１バランスウエイト５０と、第２バランスウエイト６０と、第１バランスウエイト５０と第２バランスウエイト６０とを接続する接続部材８５，８６とを備える。第１バランスウエイト５０及び第２バランスウエイト６０は、板状であり、その下面が外槽２０の外周面に沿って配置される。
【００３５】
図４は、外槽２０の上部に固定された第１バランスウエイト５０及び第２バランスウエイト６０を示した図である。図２及び図４に示すように、第１バランスウエイト５０の前端側の下端には、上方に向かって突出した直方体形状の接続部５１が形成されると共に、接続部５１の近傍には、矩形状の開口５２が形成される。
【００３６】
第１バランスウエイト５０の後端側の下端には、上方に向かって突出した直方体形状の接続部５３が形成されると共に、接続部５３の近傍には、矩形状の開口５４が形成される。
【００３７】
同様に、第２バランスウエイト６０の前端側の下端近傍には、上方に向かって突出した直方体形状の接続部６１が形成されると共に、接続部６１の近傍には、矩形状の開口６２が形成される。
【００３８】
第２バランスウエイト６０の後端側の下端近傍には、上方に向かって突出した直方体形状の接続部６３が形成されると共に、接続部６３の上方には、矩形状の開口６４が形成される。
【００３９】
外槽バンド３１の一端部３１ａは、第１バランスウエイト５０の開口５２に下方から挿入された状態で、接続部５１に形成された貫通孔５１ａを通過するボルト８１ａ及びナット８１ｂにより、第１バランスウエイト５０に対して固定される。
【００４０】
外槽バンド３１の他端部３１ｂは、第２バランスウエイト６０の開口６２に下方から挿入された状態で、接続部６１に形成された貫通孔６１ａを通過するボルト８２ａ及びナット８２ｂにより第２バランスウエイト６０に対して固定される。
【００４１】
同様に、外槽バンド３２の一端部３２ａは、第１バランスウエイト５０の開口５４に下方から挿入された状態で、接続部５３に形成された貫通孔５３ａを通過するボルト８３ａ及びナット８３ｂにより第１バランスウエイト５０に対して固定される。
【００４２】
外槽バンド３２の他端部３２ｂは、第２バランスウエイト６０の開口６４に下方から挿入された状態で、接続部６３に形成された貫通孔６３ａを通過するボルト８４ａ及びナット８４ｂにより第２バランスウエイト６０に対して固定される。
【００４３】
第１バランスウエイト５０の前端側の上端には、上方に向かって突出した直方体形状の接続部５５が形成され、第１バランスウエイト５０の後端側の下端には、上方に向かって突出した直方体形状の接続部５６が形成される。
【００４４】
第２バランスウエイト６０の前端側の上端には、上方に向かって突出した直方体形状の接続部６５が形成され、第１バランスウエイト６０の後端側の下端には、上方に向かって突出した直方体形状の接続部６６が形成される。
【００４５】
接続部５５の貫通孔５５ａ及び接続部６５の貫通孔６５ａには、ボルト８５ａが挿通され、ボルト８５ａに対してナット８５ｂを締め付けることで、第１バランスウエイト５０の接続部５５と、第２バランスウエイト６０の接続部６５とが接続される。したがって、ボルト８５ａ及びナット８５ｂが、本発明の接続部材８５である。
【００４６】
ボルト８５ａは、第１バランスウエイト５０の接続部５５と第２バランスウエイト６０の接続部６５とが離れた状態において、接続部５５の貫通孔５５ａと接続部６５の貫通孔６５ａとを挿通可能な長さを有している。
【００４７】
同様に、接続部５６の貫通孔５６ａ及び接続部６６の貫通孔６６ａには、ボルト８６ａが挿通され、ボルト８６ａに対してナット８６ｂを締め付けることで、第１バランスウエイト５０の接続部５６と、第２バランスウエイト６０の接続部６６とが接続される。したがって、ボルト８６ａ及びナット８６ｂが、本発明の接続部材８６である。
【００４８】
ボルト８６ａは、第１バランスウエイト５０の接続部５６と第２バランスウエイト６０の接続部６６とが離れた状態において、接続部５６の貫通孔５６ａと接続部６６の貫通孔６６ａとを挿通可能な長さを有している。
【００４９】
したがって、外槽バンド３１の一端部３１ａに接続された第１バランスウエイト５０の接続部５５と、外槽バンド３１の他端部に接続された第２バランスウエイト６の接続部６５とが接続部材８５により接続される。また、外槽バンド３２の一端部３２ａに接続された第１バランスウエイト５０の接続部５６と、外槽バンド３２の他端部に接続された第２バランスウエイト６０の接続部６６とが接続部材８６により接続される。
【００５０】
上述したように、外槽バンド３１，３２と、第１バランスウエイト５０及び第２バランスウエイト６０とが、外槽２０の略全周にわたって配置された状態で、接続部材８５，８６により接続されることで、外槽バンド３１，３２は、外槽２０を外槽支持台３０に対して固定すると共に、第１バランスウエイト５０及び第２バランスウエイト６０を外槽２０の上部に固定する。
【００５１】
次に、第１バランスウエイト５０及び第２バランスウエイト６０を外槽２０の上部に固定する方法について、図６に基づいて説明する。
【００５２】
以下の説明では、外槽バンド３１と第１バランスウエイト５０及び第２バランスウエイト６０との接続、及び、第１バランスウエイト５０の接続部５５と第２バランスウエイト６０の接続部６５との接続についての説明を記載するが、外槽バンド３２と第１バランスウエイト５０及び第２バランスウエイト６０との接続、及び、第１バランスウエイト５０の接続部５６と第２バランスウエイト６０の接続部６６との接続についても同様であることから説明を省略する。
【００５３】
まず、図６（ａ）に示すように、外槽バンド３１が外槽支持台３０に溶接により固定された状態において、図６（ｂ）に示すように、外槽２０が、外槽バンド３１上に配置される。
【００５４】
その後、図６（ｃ）に示すように、第１バランスウエイト５０及び第２バランスウエイト６０が、外槽２０の上部に配置される。そのとき、外槽バンド３１の一端部３１ａ及び外槽バンド３１の他端部３１ｂが、第１バランスウエイト５０の開口５２及び開口６２に下方から挿入された状態で、ボルト８１ａ，ナット８１ｂ及びボルト８２ａ，ナット８２ｂにより固定される。
【００５５】
第１バランスウエイト５０の接続部５５の貫通孔５５ａと、第２バランスウエイト６０の接続部６５の貫通孔６５ａには、ボルト８５ａが挿通されており、ボルト８５ａの先端近傍には、ナット８５ｂが取り付けられている。したがって、第１バランスウエイト５０と第２バランスウエイト６０とは、仮止めされた状態である。
【００５６】
その後、図６（ｄ）に示すように、第１バランスウエイト５０の接続部５５と、第２バランスウエイト６０の接続部６５に挿通されたボルト８５ａに対して、ナット８５ｂが締め付けられる。
【００５７】
したがって、ナット８５ｂがボルト８５ａに対して締め付けられることにより、第１バランスウエイト５０の接続部５５と、第２バランスウエイト６０の接続部６５との隙間が小さくなる。
【００５８】
そのとき、外槽バンド３１と、第１バランスウエイト５０及び第２バランスウエイト６０とが、外槽２０の外周面を締め付けることになり、外槽２０は、外槽バンド３１と第１バランスウエイト５０及び第２バランスウエイト６０との摩擦力により支持される。よって、外槽バンド３１により、外槽２０が外槽支持台３０に対して固定されると共に、第１バランスウエイト５０及び第２バランスウエイト６０が外槽２０の上部に固定される。
【００５９】
なお、第１バランスウエイト５０の接続部５５と第２バランスウエイト６０の接続部６５とを接続する場合において、ボルト８５ａに対してナット８５ｂを締め付けるトルクと、第１バランスウエイト５０の接続部５６と第２バランスウエイト６０の接続部６６とを接続する場合において、ボルト８６ａに対してナット８６ｂを締め付けるトルクとを同一にすることにより、外槽２０及び第１バランスウエイト５０及び第２バランスウエイト６０を均等に固定することができる。
【００６０】
本実施形態のドラム式洗濯機１は、筐体１０と、洗濯物を収容するドラム２２が回転自在に内装された外槽２０と、筐体１０に対して複数のダンパ２８により接続され、外槽２０を揺動可能に支持する外槽支持台３０と、外槽支持台３０に対して溶接により固定され、外槽２０の外周面に沿って延在する取付部材である外槽バンド３１，３２と、外槽２０の上部において外槽バンド３１，３２の一端部３１ａ，３２ａと他端部３１ｂ，３２ｂとが接続されるバランスウエイトＤとを備える。
【００６１】
これにより、本実施形態のドラム式洗濯機１では、バランスウエイトＤを固定するために溶接ボルトを使用しないことから、溶接割れの危険性がなくなる。また、外槽バンド３１，３２により、外槽２０を外槽支持台３０に対して固定すると共に、バランスウエイトＤを外槽２０の上部に固定することから、部品点数を削減することができる。
【００６２】
本実施形態のドラム式洗濯機１において、バランスウエイトＤは、取付部材である外槽バンド３１，３２の一端部３１ａ，３２ａに接続された第１バランスウエイト５０と、取付部材である外槽バンド３１，３２の他端部に接続された第２バランスウエイトと、第１バランスウエイト５０と第２バランスウエイト６０とを接続する接続部材８５，８６とを備える。
【００６３】
これにより、本実施形態のドラム式洗濯機１では、第１バランスウエイト５０及び第２バランスウエイト６０を外槽２０の上部に容易に固定することができる。
【００６４】
本実施形態のドラム式洗濯機１において、第１バランスウエイト５０に形成された第１接続部である接続部５５，５６と第２バランスウエイト６０に形成された接続部である接続部６５，６６とが接続部材８５，８６により接続された状態において、接続部５５，５６と接続部６５，６６との間に隙間が形成される。
【００６５】
これにより、本実施形態のドラム式洗濯機１では、外槽バンド３１，３２により外槽２０の外周面を締め付けることにより、外槽２０及びバランスウエイト５０，６０を固定することができる。
【００６６】
以上、本発明の実施形態について説明したが、各部の具体的な構成は上述した実施形態のみに限定されるものではない。
【００６７】
上記実施形態では、ドラム２２が、水平方向に延びる回転軸周りに回転するが、ドラム２２は、水平方向に対して傾斜方向に延びる回転軸周りに回転してよい。上記実施形態では、２つのバランスウエイト５０，６０が外槽２０の上部に取り付けられているが、外槽２０の上部に取り付けられるバランスウエイトの数、形状などは、それに限られない。
【符号の説明】
【００６８】
１  ドラム式洗濯機
１０  筐体
２０  外槽
２２  ドラム
２８  ダンパ
３０  外槽支持台
３１，３２  外槽バンド（取付部材）
３１ａ，３２ａ  外槽バンドの一端部（取付部材の一端部）
３１ｂ，３２ｂ  外槽バンドの他端部（取付部材の他端部）
５０  第１バランスウエイト
５５，５６  第１接続部
６０  第２バランスウエイト
６５，６６  第２接続部
８５，８６  接続部材
８５ａ，８６ａ  ボルト
８５ｂ，８６ｂ  ナット
Ｄ  バランスウエイト
【図１】
2020103565.tif 000003
【図２】
2020103565.tif 000004
【図３】
2020103565.tif 000005
【図４】
2020103565.tif 000006
【図５】
2020103565.tif 000007
【図６】
2020103565.tif 000008
【図７】
2020103565.tif 000009
【図８】
2020103565.tif 000010